(57)【要約】      （修正有）【課題】薄片から形成される材料堆積物をこじ開けて通風する方法及び装置。【解決手段】テーブル（１）を越えてローラ装置（６，７）の間を通って直方体状材料堆積物（４）を前へ押しやり、材料堆積物（４）をその先端の範囲で捕捉装置（２０）により捕捉し、捕捉装置（２０）の近くで、ローラ装置（６，７）の回転可能な上部ローラ（６）と駆動可能な下部ローラ（７）との間に材料堆積物（４）を直接締付け、その際材料堆積物（４）が、両方のローラ（６，７）の締付け範囲の前で、上部ローラ（６）にその周の一部にわたって巻付くようにし、捕捉装置（２０）と材料堆積物（４）を締付けるローラ（６，７）との間に材料堆積物（４）を保持し、その後捕捉装置（２０）の締付けを解除する。【選択図】図５
2009102171.tif 000002
【特許請求の範囲】
【請求項１】
薄片（３）から形成される材料堆積物（４）をこじ開けて通風する方法であって、
テーブル（１）を越えてローラ装置（６，７）の間を通って直方体状材料堆積物（４）を前へ押しやり、材料堆積物（４）をその先端の範囲で捕捉装置（２０）により捕捉し、
捕捉装置（２０）の近くで、ローラ装置（６，７）の回転可能な上部ローラ（６）と駆動可能な下部ローラ（７）との間に材料堆積物（４）を直接締付け、その際材料堆積物（４）が、両方のローラ（６，７）の締付け範囲の前で、上部ローラ（６）にその周の一部にわたって巻付くようにし、
捕捉装置（２０）と材料堆積物（４）を締付けるローラ（６，７）との間に材料堆積物（４）を保持するため、下部ローラ（７）の駆動により、捕捉装置（２０）を移動させながら材料堆積物（４）を前へ押しやり、
下部ローラ（７）によりローラ（６，７）の締付け範囲から送られる材料堆積物（４）を、捕捉装置（２０）により台板（３４）上へ下ろし、捕捉装置（２０）の締付けを解除する
ことを特徴とする方法。
【請求項２】
上部ローラ（６）の直径が下部ローラ（７）の直径より小さい、請求項１に記載の方法。
【請求項３】
テーブル（１）上に載る材料堆積物（４）が水平に前へ押しやられ、上部ローラ（６）への巻付きが、材料堆積物（４）の厚さを考慮して、上部ローラ（６）に対するテーブル（１）の位置によって生じる、請求項１又は２に記載の方法。
【請求項４】
材料堆積物（４）が、両方のローラ（６，７）の締付け範囲の前で、３０°以上の角にわたって上部ローラ（６）に巻付く、請求項１〜３の１つに記載の方法。
【請求項５】
上部ローラ（６）の周速と捕捉装置（２０）の移動速度が合わされている、請求項１〜４の１つに記載の方法。
【請求項６】
捕捉装置（２０）が、上部ローラ（６）の周速より低い速度で移動せしめられる、請求項５に記載の方法。
【請求項７】
材料堆積物（４）が、ローラ装置（６，７）の範囲におけるその転向を別として、水平に移動せしめられる、請求項１〜６の１つに記載の方法。
【請求項８】
下部ローラ（７）の前にある材料堆積物（４）の扇状に広げられる範囲において、空気が材料堆積物（４）の個々の薄片（３）の間へ吹込まれる、請求項１〜７の１つに記載の方法。
【請求項９】
材料堆積物（４）をそのこじ開け及び通風前に受入れるテーブル（１）、
回転可能な上部ローラ（６）と駆動可能な下部ローラ（７）との間に材料堆積物（４）を締付けるローラ装置、
開かれるローラ装置（６，７）の間の範囲へ材料堆積物（４）を搬送する手段（３５）、
ローラ（６，７）を互いに近づける装置（１２）、
材料堆積物（４）の搬送方向に下部ローラ（７）を駆動する駆動装置（１５）、
材料堆積物（４）をその先端範囲で捕捉する捕捉装置（２０）を
有することを特徴とする、請求項１〜８の１つに記載の方法を実施する装置。
【請求項１０】
上部ローラ（６）の直径が下部ローラ（７）の直径より小さい、請求項９に記載の装置。
【請求項１１】
開かれるローラ対（６，７）の間の範囲へ材料堆積物（４）を搬送する手段（３５）が、捕捉装置（３５）として構成されている、請求項９又は１０に記載の装置。
【請求項１２】
上部ローラ（６）が自由に回転可能に支持されていることを特徴とする、請求項９〜１１の１つに記載の装置。
【請求項１３】
下部ローラ（７）が電動駆動可能である、請求項９〜１２の１つに記載の装置。
【請求項１４】
上部ローラ（６）の周面（３１）が硬い、請求項９〜１３の１つに記載の装置。
【請求項１５】
下部ローラ（７）の周面が軟らかい、請求項９〜１４の１つに記載の装置。
【請求項１６】
両方のローラ（６，７）の両方の支持軸線（８，９）の結合面（１４）が、水平面及び垂直面に対し角をなして上後方から下前方へ向けられている、請求項９〜１５の１つに記載の装置。
【請求項１７】
両方のローラ（６，７）の両方の支持軸線（８，９）の結合面（１４）が、水平面に対し４０°〜５０°の角をなして上後方から下前方へ向けられている請求項１６に記載の装置。
【請求項１８】
上部ローラ（６）の回転角または回転速度を検出する回転発信器（１９）が上部ローラ（６）と共同作用する、請求項９〜１７の１つに記載の装置。
【請求項１９】
回転発信器（１９）が、制御装置を介して捕捉装置（２０）の移動用駆動装置と共同作用する、請求項１８に記載の装置。
【発明の詳細な説明】
【技術分野】
【０００１】  本発明は、薄片から形成される材料堆積物特に紙堆積物をこじ開けて通風する方法及びこの方法を実施する装置に関する。
【背景技術】
【０００２】  薄片から形成される材料堆積物特に紙堆積物をこじ開けて通風する方法及び装置は、ドイツ連邦共和国特許出願公開第１０２００４００３４５５号明細書から公知である。そこでは薄片状物品の部分堆積物が全堆積物から分離され、回転可能な案内ローラを介して前方へ押出される。そこでは、分離された材料堆積物の先端が捕捉装置により捕捉され、２つの接近可能なローラの間に形成される通路を通って斜め下方へ引張られる。通路を通して材料堆積物の引張りは、互いに離れるローラの所で行われる。即ちトングが通路を通って材料堆積物の先端を引張った直後に、両方のローラが互いに近付けられて、材料堆積物が締付けられる。捕捉装置が、締付け位置にあるローラの間を通して材料堆積物を引張る。案内ローラの範囲で材料堆積物が転向されるため、材料堆積物の薄片のこじ開けが行われ、それにより隣接する薄片の間へ空気が達することができる。捕捉装置による材料堆積物の引張りに加えて、上部ローラ及び下部ローラが駆動され、その際両方のローラは異なる周速を持っている。【０００３】  この方法における欠点は、こじ開けのため材料堆積物をトングにより引張らねばならないことである。これにより個々の薄片の相対移動、更に材料堆積物の膨らみ、従って空気が個々の薄片の間へ達する可能性に関して不充分な結果しか得られない。この点を別として、通路を通して下方へ角をなして材料堆積物を引張るため、こじ開け結果従って材料堆積物を締付けるローラの間でこの堆積物の搬送も不利である。なぜならば、こじ開けの際有利な結果のために重要であるローラへの不充分な巻付きが生じるからである。【０００４】  薄片から形成される材料堆積物をこじ開けて通風する別の方法が、ドイツ連邦共和国特許出願公開第３２１９６９３号明細書及び欧州特許出願公開第００２１３９６号明細書から公知である。しかしそこでは材料堆積物を捕捉する捕捉装置は使用されず、材料堆積物の搬送が、堆積物の反対側で他の搬送ベルト又はローラと共同作用する搬送ベルトによって行われる。材料堆積物はこじ開け前に捕捉装置により捕捉されないので、堆積物のこじ開け中に堆積物側の範囲における材料堆積物の個々の薄片の位置変化が阻止されない。その点でこれらの刊行物に記載されている方法は不充分なこじ開け結果を示すのみならず、通風される材料堆積物の振動の後続過程に関する欠点もあげられる。
【発明の開示】
【発明が解決しようとする課題】
【０００５】  本発明の課題は、最適なこじ開け結果が得られ、こじ開けられて通風される材料堆積物が最適に更に処理されるようにする、薄片から形成される材料堆積物特に紙堆積物をこじ開けて通風する方法及びこの方法を実施する装置を提示することである。
【課題を解決するための手段】
【０００６】  本発明は、次の特徴を持つ、薄片から形成される材料堆積物特に紙堆積物をこじ開けて通風する方法を提案する。
テーブルを越えてローラ装置の間を通って直方体状材料堆積物を前へ押しやり、材料堆積物をその先端の範囲で捕捉装置により捕捉し、
捕捉装置の近くで、ローラ装置の回転可能な上部ローラと駆動可能な下部ローラとの間に材料堆積物を直接締付け、その際材料堆積物が、両方のローラの締付け範囲の前で、上部ローラにその周の一部にわたって巻付くようにし、
捕捉装置と材料堆積物を締付けるローラとの間に材料堆積物を保持するため、下部ローラの駆動により、捕捉装置を移動させながら材料堆積物を前へ押しやり、
下部ローラによりローラの締付け範囲から送られる材料堆積物を、捕捉装置により台板上へ下ろし、捕捉装置の締付けを解除する。【０００７】  本発明による方法において重要なことは、両方のローラが材料堆積物に直接接触し、下部ローラが、ローラの間に締付けられる材料堆積物の搬送に役立つことである。捕捉装置の役割は、ローラ装置による材料堆積物の搬送中にローラ装置からますます大きく離される材料堆積物の先端を保持することである。この場合材料堆積物は捕捉装置により引張られず、堆積物は捕捉装置と材料堆積物を締付けるローラとの間で下方へたるむか、又は堆積物がこの範囲で下方へ湾曲される。これは、この範囲で材料が膨らむのを可能にし、空気が材料堆積物の個々の薄片の間へ達するのを可能にする。この範囲における材料堆積物の通風を改善するために、材料堆積物の互いに分離される薄片の間へ側方から付加的に空気を吹込むことができる。材料堆積物のこじ開け中に捕捉装置は材料堆積物の先端を固定する。その結果材料堆積物はこの範囲で永続的に固定され、それにより個々の薄片層はそこで互いに移動することがない。従ってこじ開け及び通風後材料堆積物は。直方体状に台板例えば振動テーブル上へ下ろされる。その場合振動テーブルにより、こじ開け及び通風前にほぼ直方体状で存在する材料堆積物を正確に直方体として整えさえすればよい。【０００８】  上部ローラの直径が下部ローラの直径より小さいのがよい。【０００９】  捕捉装置により先端の範囲を捕捉される材料堆積物は、そこでほぼ平らな端縁を持って存在し、捕捉装置のこの範囲において材料堆積物の薄片が互いに移動できないので、締付けの際両方のローラの圧縮効果、及び両方のローラの締付け範囲の前で上部ローラが材料堆積物の周面の一部にわたって巻付けられるという事実が、材料堆積物がその下部範囲でその上部範囲における材料堆積物より大きい速度で送られるようにする。この効果により、材料堆積物の下の薄片が上の薄片より強く膨らむ。従って上部ローラに関して、外側曲面の薄片が内側曲面の薄片より大きい行程を進む。即ち周速従って薄片の搬送速度は外側の方へ増大する。そのため個々の薄片は互いに滑る。材料堆積物の最適なこじ開けのために重要な別の効果は、直径が小さい方の上部ローラにおいて、大きい直径を持つ下部ローラを経て搬送力が材料堆積物へ導入されることである。下部ローラが駆動され、上部ローラを受動的に一緒に回転させると、それぞれ高い方にある薄片層が、存在する滑りのため小さい強さで連行される。【００１０】  上述した効果によって、意外なように、こじ開け効果が最適化される。即ちローラの間の締付け又は押しつぶし個所の範囲で、薄片が鱗状になるため、ローラ装置と捕捉装置との間に、個々の薄片の相互分離の際、著しい堆積物の膨らみが生じ、従って充分な空気が個々の薄片の間へ達することができる。【００１１】  捕捉装置は、最大で上部ローラの周速に等しい速度で移動せしめられる。この場合材料堆積物の上部薄片層特に最上部の薄片はまだ引張られないが、そこでは膨らみも形成されない。この場合上述した効果のため、材料堆積物の下部薄片層の範囲に、いずれにせよ膨らみが形成される。しかし捕捉装置が材料堆積��を引張らないことを保証するため、捕捉装置が、上部ローラの周速より低い特に僅か低い速度で移動せしめられると、有利であるとみなされる。従って捕捉装置の役割は、先端が永続的に位置ぎめされ従って自由に下方へ垂れ下がらないようにすることである。上部ローラと捕捉装置の運動を合わせることによって、材料堆積物は引張られず、材料堆積物の送りが下部ローラの駆動によって行われる。【００１２】  上部ローラの周速と捕捉装置の移動速度とを合わせるため、上部ローラと特に回転発信器が共同作用して、上部ローラ従ってこれに接触する材料堆積物の上部薄片の搬送行程及び搬送速度を検出し、制御装置を介して捕捉装置の移動手段を制御する。その場合捕捉装置の移動行程及び移動速度は適当に選ばれる。薄片は引張られるのを防止される。【００１３】  更に本発明は、
材料堆積物をそのこじ開け及び通風前に受入れるテーブル、
回転可能な上部ローラと駆動可能な下部ローラとの間に材料堆積物を締付けるローラ装置、
開かれるローラ装置の間の範囲へ材料堆積物を搬送する手段、
ローラを互いに近づける装置、
材料堆積物の搬送方向に下部ローラを駆動する駆動装置、
材料堆積物をその先端範囲で捕捉する捕捉装置
を持っている。【００１４】  開かれるローラ装置の間の範囲へ材料堆積物を搬送する手段が、捕捉装置である。【００１５】  上部ローラの直径が下部ローラの直径より小さいのがよい。【００１６】  まだ締付けられている材料堆積物が両方のローラの間を自由に搬送可能である所まで、ローラ装置のローラが互いに離されるのがよい。従って捕捉装置により通過に適した両方のローラの特に大きい開きを考慮することは必要でない。【００１７】  本発明の有利な展開によれば、テーブル上に載る材料堆積物が水平に前へ押しやられ、上部ローラへの巻付きが、材料堆積物の厚さを考慮して、上部ローラに対するテーブルの位置によって生じるようになっている。【００１８】  上部ローラへの巻付きは３０°以上の角にわたって行われるようにする。３０°〜５０°の巻付き角が有利であるとみなされる。この角は、締付け又は押しつぶし個所の範囲における材料堆積物の有利な剥ぎ取り効果を得るのに十分である。【００１９】  上部ローラが特に自由に回転可能である。下部ローラが特に電動駆動可能である。【００２０】  上部ローラの周面が特に硬い。下部ローラの周面が特に軟らかい。周面のこの特性は特に上述した圧縮効果に役立つ。【００２１】  本発明による装置の重要な特徴によれば、両方のローラの両方の支持軸線の結合面が、水平面及び垂直面に対し角をなして上後方から下前方へ向けられている。結合面のこの斜め配置のため、材料堆積物をほぼ水平にローラ装置へ送り込み、かつほぼ水平にローラ装置から送り出すことができる。角をなして設けられるローラ装置を別として斜め下方へ行われる材料堆積物の運動を考慮することは必要でない。【００２２】  傾斜した結合面は、例えば下部ローラを上に、少なくともテーブルの高さレベル例えばテーブルの材料堆積物載置面に設けるか、又は最大で下部ローラの半径の寸法に相当するだけ堆積物載置面より下にある高さレベルに設けるのを可能にする。更に材料堆積物の載置面と堆積物を締付ける場合における両方のローラの結合面とがローラの間で交差するように、テーブルとの材料堆積物載置面を設けることが可能である。【００２３】  結合面の斜め配置は、材料堆積物をほぼ水平にローラ装置へ送り込むことができ、上部ローラの範囲でそれに所望の巻付けを行うことができる、という利点を持っている。【００２４】  更に下部ローラ及びテーブルが互いに全く水平及び／又は垂直に移動可能であってもよい。【００２５】  本発明のそれ以外の特徴は従属請求項、図の説明及び図自体に示されており、注意すべきことは、すべての毛別特徴及び個別特徴のすべての組合わせが本発明の別の構成を示していることである。【００２６】  薄片から形成される材料堆積物をこじ開けて通風するための本発明による方法及び装置の実施例が、図面を参照して以下に詳細に説明される。
【発明を実施するための最良の形態】
【００２７】  本発明による方法を実施するための図示される実施例による装置は、薄片３例えば枚葉紙から形成される紙堆積物４用の載置面即ち受入れ面２を持つテーブル１を持っている。製図上の理由から若干の薄片３のみが示されているが、実際には堆積物は多数の薄片特に１００より著しく多い薄片から成っている。【００２８】  テーブル１の受入れ面２は水平に設けられている。テーブル１は両方向矢印５の方向に往復移動可能である。図１は前進終端位置を示し、図４は後退終端位置を示している。【００２９】  装置は、更に小さい直径の上部ローラ６及び大きい直径の下部ローラ７を持っている。両方のローラ６及び７は、テーブル１の前縁に対して平行に設けられかつ互いに平行に延びる水平な軸線８及び９の周りに回転可能である。軸線９は装置の固定軸受部分１１に支持されている。装置の固定した構成部分は更に空気圧シリンダ１２を形成し、そのピストン棒１３は、その自由端の範囲にローラ６用の軸線８を受入れている。ピストン棒１３の縦軸線は、水平面及び垂直面に対して角をなして設けられている。図の面に対して垂直に延びる結合面１４は両方の軸線８及び９を結合し、後上方から前下方へ向いている。結合面１４は、実施例では水平面に対して４５°即ちテーブル１の受入れ面２に対して４５°の角をなして延びている。【００３０】  ローラ６は自由に回転可能に軸線８に支持されている。ローラ７は電動機１５により矢印１６の方向に駆動可能である。具体的に電気駆動装置１５は、電動機１５、減速伝動装置１７、及び減速伝動装置１７の出力軸の運動をローラ７へ伝達するベルト１８を持っている。【００３１】  回転発信器１９は上部ローラ６の回転角および回転速度を検出する。【００３２】  テーブル１の前方位置でこれに隣接して、捕捉装置２０がその後方位置で結合面１４の前に設けられている。この捕捉装置２０は、両方向矢印２１の方向に水平に往復移動せしめられる。捕捉装置２０のトング下部２３の締付け面２２と紙堆積物４用の支えを形成するテーブル１の受入れ面２は、同じ高さレベルにある。捕捉装置２０のトング上部２４は空気圧駆動装置２５により両方向矢印２６の方向に垂直に移動可能である。トング上部２４の締付け面は符号２７で示されている。トング下部２３は角形に形成され、垂直に向けられる前方ストパ板２８を持っている。【００３３】  図１に示す出発位置において下部ローラ７は、前方位置にあるテーブル１の厚さを薄くする区域のすぐ下に設けられている。空気圧シリンダ１２が始動されて、ピストン棒１３が引込められ、それにより両方のローラ６と７との間及び上部ローラ６とテーブル１の受入れ面２との間に、比較的大きい通路３０が形成される。通路の最大高さは堆積物の最大高さより少し大きい。【００３４】  図１の状態から始まって、直方体状の紙堆積物４例えば全堆積物から通常のように分離される部分堆積物が、テーブル１上に載せられ、図示してない搬送手段例えば紙堆積物４を後方から捕捉する捕捉装置３５により押しやられて、最大に押しやられる位置へ達し、この位置において依然として直方体状の紙堆積物４が、開いている捕捉装置２０のストッパ板２８に接触する。これが図２に示されている。【００���５】  続いて捕捉装置２０がその捕捉位置へ移行せしめられ、即ちトング上部２４が紙堆積物４へ向かって動かされるので、紙堆積物４がトング下部２３とトング上部２４との間に締付けられる。捕捉装置３５が開かれて、後方へ移動せしめられる。この状態が図３に示されている。それからテーブル１が図４に示す位置へ後退せしめられる。これによりテーブル１の前縁１０と捕捉装置２０との間に比較的大きい間隙が生じる。後退した終端位置にあるテーブル１と上部ローラ６との間隔は、具体的には堆積物厚さの約２倍である。それから空気圧シリンダ１２が動作せしめられ、ピストン棒１３が繰出される。ローラ６が紙堆積物４の上部薄片３に接触して、紙堆積物４をローラ６とローラ７との間に締付ける。この場合紙堆積物４は、両方のローラ６及び７の締付け範囲の前で、周囲の一部特に３０°以上の角にわたって上部ローラ６に巻付く。比較的小さい直径を持つ上部ローラ６の周面は硬く形成されている。その結果上部ローラ６は、紙堆積物４をその上部薄片３の範囲で比較的強く圧縮する。従って上部ローラ６は、この範囲で紙堆積物４をその直径に従って変形する。比較的大きい直径を持つ下部ローラ７は、比較的軟らかい周面３２を持っている。その結果このローラ７は、下部薄片３の範囲で紙堆積物４へ比較的僅かしか押込まれない。紙堆積物４が両方のローラ６及び７により締付けられている場合、下部ローラ７が電動機１５により矢印１６（図１参照）の方向に駆動され、それにより紙堆積物４がテーブル１から捕捉装置２０の方へ送り出される。異なる圧縮効果のため、紙堆積物４の下部範囲にある薄片３が、紙堆積物４の上部範囲にある薄片３より速く動かされる。この効果は、下部ローラ７による紙堆積物４の下部範囲への搬送力の導入により強められる。これが図５と図１〜４との比較からわかり、テーブル１上に載っている紙堆積物４の範囲が剥ぎ取られるように形成されている。この剥ぎ取りは、紙堆積物４の薄片の異なる搬送速度の結果生じる。ローラ６の軸線８に近い方に設けられている薄片は、この軸線から一層大きく離れて設けられている薄片より短い行程を進まねばならない。【００３６】  上述した事実のため、駆動されるローラ７による紙堆積物の搬送の際、下方へ膨らむ紙堆積物４の形態がローラ７の前に形成される。図５から下方へ強く変形される膨らみ３３がわかり、互いにほどかれる個々の薄片３がそこに示されている。これらの薄片の間へ今や空気が達することができる。紙堆積物の側方で膨らみ３３が形成される範囲に空気ノズルを設け、空気を側方から紙堆積物４へ吹込むことができる。【００３７】  上部ローラ６の搬送区間及びその回転速度は回転発信器１９により検出され、この回転発信器が、制御装置を介して、捕捉装置２０を水平に移動させる図示しない手段に接続されている。紙堆積物４が駆動されるローラ７により前方へ押されるとき、捕捉装置２０は図示しない手段を介して前方へ一緒に移動せしめられるが、捕捉装置の移動行程及び移動速度はローラ６に合わされている。しかしこれは、捕捉装置２０が紙堆積物４の先端の拘束のみを行うようには進まない。捕捉装置の移動行程及び移動速度は、図５からわかるように、紙堆積物４の上部薄��３が僅か下方へ垂れ下がり、そこから膨らみ３３が下方へますます強く形成されるように、選ばれるのがよい。【００３８】  駆動されるローラ７は、紙堆積物４の後端が両方のローラ６及び７の間の締付け範囲から離れるまで、紙堆積物４を搬送する。この離れる時点に、紙堆積物４は捕捉装置２０によってのみ台板３４より上に保持されている。捕捉装置２０は更に少し移動して、紙堆積物４を完全に台板３４上へ引張り、それから開かれて、紙堆積物４を台板３４上へ下ろす。台板３４は図示してない振動テーブルの構成部分を形成している。この台板は、図示されているように水平に設けられるが、又は振動テーブルにおいて普通であるように傾斜して設けられる。したがって捕捉装置２０により、こじ開けられて通風された直方体状の紙堆積物４が振動テーブルの側線へ供給されて、振動テーブル上に下ろされ、振動テーブルの隅へ揺れ動き、紙堆積物４が縁を正確に方向づけられ、従って紙堆積物４が正確な直方体として形成される。この観点で直方体状の紙堆積物は、捕捉装置２０により捕捉される間、正確な直方体とは少し異なる堆積物の形状を意味し、次の加工過程特に次の切断又は押抜き過程のため、堆積物を正確に直方体として整える必要がある。
【図面の簡単な説明】
【００３９】
【図１】  薄片から形成される紙堆積物をこじ開けて通風する装置の側面図を示す。
【図２】  図１に示す装置をこじ開けて通風する方法の第１段階を示す。
【図３】  第２段階を示す。
【図４】  第３段階を示す。
【図５】  第４段階を示す。
【符号の説明】
【００４０】  １        テーブル
３        薄片
４        材料堆積物（紙堆積物）
６，７    ローラ
２０      捕捉装置
３４      台板
【図１】
2009102171.tif 000003
【図２】
2009102171.tif 000004
【図３】
2009102171.tif 000005
【図４】
2009102171.tif 000006
【図５】
2009102171.tif 000007